(57)【特許請求の範囲】
【請求項１】
電気通信システム組合わせにおいて、
複数のノードを有し、前記ノードのそれぞれに少なくとも一つの個人番号（ＰＮ）が割り当てられた個人電話網（ＰＴＮ）であって、前記ノードのそれぞれで個人電話サービスを提供する前記個人電話網と、
移動網と
備え、前記移動網は、
前記ＰＴＮの選択されたノードに接続され、かつ前記選択されたノードに割り当てられた第１の少なくとも一つのＰＮと関連した少なくとも一つの移動端末を有する無線システムであって、前記少なくとも一つの移動端末が前記無線システムのサービス・エリア内に配置されているときに、前記無線システム内から起動され、前記ＰＴＮを介して前記第１の少なくとも一つのＰＮへの及びそれからの設定された呼を経路選択させるゲートウェー機能を備えている前記無線システム、及び
前記ゲートウェー機能に接続されたセルラ・システムであって、前記第１の少なくとも一つのＰＮを選択された少なくとも一つの移動体識別番号ＭＩＮに変換するサービス・コントローラ、及び前記少なくとも一つのＭＩＮと関連されたローミング番号を記憶するホーム・ロケーション・レジスタを備え、前記ローミング番号は前記移動網内の少なくとも一つの移動端末の位置を表し、前記セルラ・システムのサービス・エリア内をローミングしている間に、前記少なくとも一つの移動端末から前記ＰＴＮの第２の少なくとも一つのＰＮに対して起動された呼及び前記ＰＴＮにおいて受信された前記第１の少なくとも一つのＰＮに対する呼が、前記ローミング番号に従って前記移動網内を経路選択される、前記セルラ・システムを含み、
更に、前記セルラ・システムは、前記サービス・コントローラ及び前記ＨＬＲに接続された移動体サービス・センタ（ＭＳＣ）を備え、更に、前記ＭＳＣは中継線を経由して前記無線システムの前記ゲートウェー機能に接続され、前記選択された少なくとも一つの移動端末は、前記セルラ・システムのサービス・エリアに配置されている間に前記個人電話サービスが提供され、
前記少なくとも一つの移動端末は第１の少なくとも一つの終端を備え、かつ前記セルラ・システムは第２の少なくとも一つの終端を有し、更に、前記ゲートウェー機能は、
前記第１の少なくとも一つの移動端末又は前記第２の少なくとも一つの移動端末が前記無線システム内に登録するときに、前記中継線を経由して前記ＨＬＲから加入者情報を抽出するＶＬＲと、
前記ＶＬＲに接続されたＲＡＮリンカーであって、呼出し番号解析を実行して、前記呼が前記無線システムのサービス・エリア内の前記第１及び第２の少なくとも一つの移動端末から起動されるときに、前記呼が前記第１又は第２の少なくとも一つの移動端末のいずれから起動されているのかを表示する加入者呼出し情報を抽出する前記ＲＡＮリンカーと、
前記ＲＡＮリンカーに接続された呼コントローラであって、前記呼が前記第２の少なくとも一つの移動端末により起動されるときは、前記ＨＬＲからローミング番号を要求し、かつ前記呼が前記第１の少なくとも一つの移動端末により起動されるときは、前記呼を前記ＰＴＮに経路選択させ、又は前記呼を前記ＰＴＮへ経路選択させる前記呼コントローラと
を備えている、電気通信システム組合わせ。
【請求項２】
電気通信システム組合わせにおいて、
複数のノードを有し、前記ノードのそれぞれに少なくとも一つの個人番号（ＰＮ）が割り当てられた個人電話網（ＰＴＮ）であって、前記ノードのそれぞれで個人電話サービスを提供する前記個人電話網と、
移動網と
備え、前記移動網は、
前記ＰＴＮの選択されたノードに接続され、かつ前記選択されたノードに割り当てられた第１の少なくとも一つのＰＮと関連した少なくとも一つの移動端末を有する無線システムであって、前記少なくとも一つの移動端末が前記無線システムのサービス・エリア内に配置されているときに、前記無線システム内から起動され、前記ＰＴＮを介して前記第１の少なくとも一つのＰＮへの及びそれからの設定された呼を経路選択させるゲートウェー機能を備えている前記無線システム、及び
前記ゲートウェー機能に接続されたセルラ・システムであって、前記第１の少なくとも一つのＰＮを選択された少なくとも一つの移動体識別番号ＭＩＮに変換するサービス・コントローラ、及び前記少なくとも一つのＭＩＮと関連されたローミング番号を記憶するホーム・ロケーション・レジスタを備え、前記ローミング番号は前記移動網内の少なくとも一つの移動端末の位置を表し、前記セルラ・システムのサービス・エリア内をローミングしている間に、前記少なくとも一つの移動端末から前記ＰＴＮの第２の少なくとも一つのＰＮに対して起動された呼及び前記ＰＴＮにおいて受信された前記第１の少なくとも一つのＰＮに対する呼が、前記ローミング番号に従って前記移動網内を経路選択される、前記セルラ・システムを含み、
更に、前記セルラ・システムは、前記サービス・コントローラ及び前記ＨＬＲに接続された移動体サービス・センタ（ＭＳＣ）を備え、更に、前記ＭＳＣは中継線を経由して前記無線システムの前記ゲートウェー機能に接続され、前記選択された少なくとも一つの移動端末は、前記セルラ・システムのサービス・エリアに配置されている間に前記個人電話サービスが提供され、
前記少なくとも一つの移動端末は、第１の少なくとも一つの端末を備え、かつ前記セルラ・システムは第２の少なくとも一つの端末を有し、前記ゲートウェーは第１及び第２のインタフェースを経由して前記ＰＴＮに接続され、更に前記ゲートウェー機能は、
前記第１の少なくとも一つの移動端末及び前記第２の少なくとも一つの移動端末が前記無線システム内に登録するときに、前記中継線を経由して前記ＨＬＲからの加入者情報を抽出するＶＬＲと、
前記ＶＬＲに接続されたＲＡＮリンカーであって、呼出し番号解析を実行して、前記呼が前記無線システムのサービス・エリア内の前記第１又は第２の少なくとも一つの移動端末から起動されるときに、前記呼が前記第１又は第２の少なくとも一つの移動端末のいずれから起動されているのかを表示する加入者呼出し情報を抽出する前記ＲＡＮリンカーと、
前記ＲＡＮリンカーに接続された呼コントローラであって、前記第２の少なくとも一つのＰＮから前記第２のインタフェースを経由して前記ＰＴＮへ起動された選択された呼を経路選択し、更に前記ＰＴＮが前記選択された呼を前記第１のインタフェースを経由して前記ゲートウェー機能へ経路選択させる、ＰＴＮコントローラを備えている前記呼コントローラと
を備えている、電気通信システム組合わせ。
【請求項３】
前記ＰＴＮに接続された外線交換網を備え、前記第２のインタフェースはディジタル加入者信号器を備え、前記ディジタル加入者信号器は外線交換器をエミュレートし、前記サービス・コントローラは少なくとも一つの移動端末から前記第１の少なくとも一つのＰＮへの前記選択された呼は、外線交換網から前記ＰＴＮへの呼に見える、請求項２に記載の電気通信システム組合わせ。
【発明の詳細な説明】
発明の背景
発明の技術分野
本発明は、移動電話通信システムに関し、特に個人移動電話通信システムを公衆移動電話網に統合するシステムに関する。
従来技術の歴史
移動電話通信における最近の進歩は、移動加入者に提供可能とされる種々のサービスをもたらした。これらのサービスは、通常、個人移動加入者用のビジネス環境内に設けられる個人サービスと、公衆移動加入者用の公衆陸上移動網を介して提供される公衆サービスとを共に含む。個人移動サービス及び公衆移動サービスは共にセルラ・ベースにより提供されると共に、移動加入者は個人システム及び公衆システムにそれぞれ属する異なる基地局のサービス・エリア間をローミングするのが許容される。
個人移動サービスは、典型的には、個人移動電話網を介して提供され、この個人移動電話網はコードレス電話基準２（ＣＴ−２）又はディジタル・ヨーロピアン・コードレス電話基準（ＤＥＣＴ）のような個人コードレス基準を使用して実施される。個人電話網は、スタンド・アローン・システムとして、又は固定電話網に接続されるようにして提供される。個人移動電話網は単一ビル又はビジネスのオフィス複合体内に移動体サービスを提供するために共通に使用される。
公衆移動サービスは、典型的には、アドバンスド・モバイル・フォン・サービス（ＡＭＰＳ）システム基準（Ａｄｖａｎｃｅｄ  Ｍｏｂｉｌｅ  Ｐｈｏｎｅ  Ｓｅｒｖｉｃｅ（ＡＭＰＳ）Ｓｙｓｔｅｍ  Ｓｔａｎｄａｒｄ）、ＩＳ−５４時分割多元アクセス（ＴＤＭＡ）基準、又はヨーロピアン・グループ・スペシアレ・モバイル（ＧＳＭ）基準（Ｅｕｒｏｐｅａｎ  Ｇｒｏｕｐ  Ｓｐｅｃｉａｌｅ  Ｍｏｂｉｌｅ（ＧＳＭ）Ｓｔａｎｄａｒｄ）ような共通セルラ・システム基準のうちの一つを使用して実施されたセルラ電話網により提供されるように共通に使用される。
最近の数年、屋内又はオフィス位置を支援するように公衆セルラ電話通信網に対する要求は、個人電話網により支援されているもののように、増大した。しかしながら、この要求は、産業においていくつかの形式の解決法が実施されたといえ、大部分は不満足なものであった。
スタンド・アローンとして提供されている、又は固定個人電話網に接続されている個人電話網と共に公衆セルラ網を使用する解決法は、個人網と公衆網との間のローミングを許容するものではない。従って、屋内及びオフィス位置内の個人コードレス・システムを使用するこの形式の解決法は、公衆セルラ網におけるローミングによる移動サービスを提供することができない。屋内カバレッジを有する公衆セルラ・システムを介するサービス、及び公衆セルラ・システムに加入している複数の共同グループに対するカスタム化インテリジェント・ネットワーク・サービスを提供する第２形式の解決法が開発された。これは、共同環境か又は公衆網かにおいて動作するときに、移動加入者が同一移動局を使用できるようにする。しかしながら、このサービスは依然としてセルラ・システムにより提供される公衆サービスであり、屋内網はセルラ・システム・オペレータの制御によっている。更に、この形式の解決法では、複数の共同サービスを公衆セルラ・システムに統合することに欠陥が存在する恐れがある。例えば、移動局における共同内線番号をダイヤル番号（Ａ番号）として提供するのが不可能となり得る。更に、デスクトップ局及び移動局が異なる網に属し、かつ異なるサービスを提供することがあり、ユーザに混乱を発生させる。加えて、監視し、かつトラッキングする共同管理システムは、移動局を使用して共同グループのメンバに係わる呼を追跡し、かつ監視する能力を有するようにはならない。
第３形式の解決法は、二重モード移動局、例えばＧＳＭ又はＤＥＣＴシステムの両方において動作可能な移動局を使用する。この形式の解決法は、前述した解決法が有する欠点のうちのいくつかを克服している。しかしながら、二重モード移動局の使用すると、公衆セルラ・システム上で動作するよりもＤＥＣＴシステムを使用するときに、異なる組のサービスが提供されることになる。更に、個人システムから公衆システムへのハンドオーバは不可能であり、かつ二重の移動局は複雑であり、従って更に高価である。
発明の概要
本発明は、個人電話網（ｐｒｉｖａｔｅ  ｔｅｌｅｐｈｏｎｙ  ｎｅｔｗｏｒｋ：ＰＴＮ）及び公衆セルラ・システムを含む公衆陸上移動網（ｐｕｂｌｉｃ  ｌａｎｄ  ｍｏｂｉｌｅ  ｎｅｔｗｏｒｋ：ＰＬＭＮ）の両方に統合された無線オフィス・システムを提供する。この無線オフィス・システムは複数の共同移動端末（ｃｏｒｐｏｒａｔｅ  ｍｏｂｉｌｅｔｅｒｍｉｎａｌｓ：ＣＭＴｓ）に移動体サービスを提供し、これらの共同移動端末は前記ＰＴＮにおける共同グループの端末の一部であってもよい。更に、前記共同グループは、前記ＰＴＮの複数の固定端末（ｆｉｘｅｄ  ｔｅｒｍｉｎａｌ：ＦＴ）を含むものであってもよい。前記無線オフィス・システムの前記ＣＭＴは前記ＰＴＮにとって通常の固定内線端末に見える。コール・バック、発呼者識別（Ａ番号表示）及びオペレータ支援のようなＰＴＮ内部機能は、ＣＭＴにおいて使用されてもよい。更に、ＣＭＴは前記無線オフィス・システムのサービス・エリアの外側にあるけれども、１移動局を使用して公衆セルラ・システムによりカバーされたＰＬＭＮのサービス−エリアの全域をローミングすることができる。
本発明の一実施例において、無線オフィス・ゲートウェー（ＷＯ  Ｇａｔｅｗａｙ：ＷＯゲートウェー）は無線オフィス・システムとＰＬＭＮ及びＰＴＮとの間のインタフェースを行う。この実施例は無線オフィス・システムのＣＭＴが公衆セルラ・ネットワーク内をローミングするのを可能にする。ＷＯゲートウェーはＰＴＮと通信し、かつＰＴＮにとってはＰＴＮ、即ち構内交換（ＰＢＸ）又は総合ディジタル・サービス通信網の一次群速度インタフェース（ＩＳＤＮ  ｐｒｉｍａｒｙ  ｒａｔｅ  ｉｎｔｅｒｆａｃｅ：ＩＳＤＮ  ＰＲＩ）端末に見える。ＣＭＴを含む共同グループは、ＰＴＮ番号計画内で個人番号計画が割り当てられる。ＰＮＰ内では、ＣＭＴのそれぞれに個人番号（ＰＮ）が割り付けられる。更に、共同グループＰＮＰは固定端末に対する個人番号を含めることができる。ＷＯゲートウェーは、共同グループの各ＣＭＴの個人番号を含むＰＮＰ番号シリースが割り付けられる。更に、ＷＯゲートウェーはＰＬＭＮの公衆セルラ・システムと通信する。公衆セルラ・システムとＷＯゲートウェーとの間の通信に対する支援は、ＰＬＭＮのホーム・ロケーション・レジスタ（ｈｏｍｅ  ｌｏｃａｔｉｏｎ  ｒｅｇｉｓｔｅｒ：ＨＬＲ）に含まれているサービス制御ポイント（ｓｅｒｖｉｃｅ  ｃｏｎｔｒｏｌ  ｐｏｉｎｔ：ＳＣＰ）により提供される。このＳＣＰは、ＣＭＴのＰＮをＨＬＲ内で使用するためにＣＭＴの移動体識別番号（ｍｏｂｉｌｅ  ｉｄｅｎｔｉｆｉｃａｔｉｏｎ  ｎｕｍｂｅｒ：ＭＩＮ）に変換する機能を含む。ＣＭＴに係わる全ての呼は、ＰＮＰを使用することによりＰＴＮを介して経路選択される。
ＰＴＮ共同グループのＣＭＴに対して作成されたＰＳＴＮ即ち公衆セルラ・システムの公衆利用者からの呼は、ＰＴＮの外線を介し、次いでＰＴＮにおいて内部的にＷＯゲートウェーへ経路選択される。ＰＴＮの固定卓上電話からＣＭＴへの呼は、ＰＴＮにおいて内部的にＷＯゲートウェーに、次にＣＭＴへ経路選択される。ＣＭＴへの呼が無線オフィス・システムにおいて動作しているＣＭＴから生起されると、ＷＯゲートウェーがこの呼をＰＴＮへ経路選択させると共に、ダイヤルした番号を転送し、ＰＴＮを介して内部的へ経路選択させる。公衆セルラ・システムから無線オフィス・システムのサービス・エリアの外側のＰＬＭＮでローミングしているＣＭＴに呼を経路選択させると、ＳＣＰ内のサービス制御機能（ｓｅｒｖｉｃｅ  ｃｏｎｔｒｏｌ  ｆｕｎｃｔｉｏｎ：ＳＣＦ）は、ＰＮをＰＴＮ内で終端する行き先に変換する。次に、ＰＬＭＮはＰＳＴＮを介して呼をＰＴＮへ経路選択させる。この呼は内部的にＰＴＮを介してＷＯゲートウェーへ経路選択される。次に、ＷＯゲートウェーは被呼ＣＭＴの位置についてＰＬＭＮのＨＬＲを問合わせる。プレフィックスをダイヤルすることにより、呼はＣＭＴからＰＳＴＮ又は公衆セルラ・システムの公衆利用者に作成されてもよい。
本発明の他の実施例において、ＰＬＭＮの移動体サービス・センタ（ｍｏｂｉｌｅ  ｓｅｒｖｉｃｅ  ｃｅｎｔｅｒ：ＭＳＣ）とＷＯゲートウェーとの間に中継線が設けられる。この実施例は無線オフィス・システムのセルとＰＬＭＮの公衆セルラ・システムとの間に進行中の呼のハンドオーバを支援する。更に、この実施例はＣＭＴが公衆セルラ・システムにおけるＰＴＮの複数サービスを使用できるようにする。この実施例において、公衆セルラ・システムにおけるＣＭＴと無線オフィス・システムにおけるＣＭＴとの間の呼は、ＰＳＴＮを介するよりもＷＯゲートウェーを経由して直接的へ経路選択される。更に、ＰＬＭＮ内をローミングしているＣＭＴは、ＰＴＮを介して公衆加入者を呼び出すように中継線を経由してＰＴＮへの外線接続を要求することができる。
本発明の更に他の実施例において、ＷＯゲートウェーは、ＰＴＮ内で、呼番号（Ａ番号）に基づく選別、位置依存の呼転送、及びパーソナル呼の転換機構のように、コンピュータ支援された電話（ｃｏｍｐｕｔｅｒ  ｓｕｐｐｏｒｔｅｄ  ｔｅｌｅｐｈｏｎｙ：ＣＳＴ）機能も支援する。この実施例において、ＷＯゲートウェーはＰＴＮの複数のＦＴ及び複数のＣＭＴを共に支援する。ＣＳＴサービスは、固定内線をＰＬＭＮ
ＳＣＰデータベースにおけるＣＭＴとして登録可能にすることにより、ＰＴＮ固定内線に設けられる。ＰＴＮの固定内線はＷＯゲートウェーのビジタ・ロケーション・レジスタ（ｖｉｓｉｔｏｒ  ｌｏｃａｔｉｏｎ  ｒｅｇｉｓｔｅｒ：ＶＬＲ）により制御される。このＣＳＴ機能は、ＦＴ及びＣＭＴをＰＴＮ及びＰＬＭＮの両方から１終端点に見える内線対に接続するのを可能にする。
【図面の簡単な説明】
図１は本発明が実施される公衆電話網の概略ブロック図である。
図２は基本的な呼のルーティング・サービスを提供する本発明の実施例の機能ブロック・レベル図である。
図３は公衆セルラ・システムと無線オフィス・システムとの間に直接中継線接続を設けた図２に示す本発明の他の実施例の機能ブロック・レベルの図である。
図４はコンピュータ支援電話機能を設けた図２に示す本発明の他の実施例の機能ブロック・レベルの図である。
図５は強化た呼のルーティング機能を設けた図３に示す本発明の他の実施例の機能ブロック・レベルの図である。
詳細な説明
ここで図１を参照すると、本発明の実施例を実施した公衆電話網１００が示されている。公衆電話網１００は、公衆交換電話網（ＰＳＴＮ）１０４、インテリジェント・ネットワーク（ＩＮ）１０６、個人電話網（ＰＴＮ）１０８及びＰＬＭＮ１０２を含む。ＰＬＭＮ１０２は公衆セルラ・システム１４０及び無線オフィス・システム１４２を含む。公衆セルラ・システム１４０は、例えばＩＳ−５４、ＡＭＰＳ又はＧＳＭシステムのような多数の異なるセルラ・システム形式のうちの一つとして実施されてもよい。無線オフィス・システム１４２は公衆セルラ・システム１４０と同一基準により動作する個人無線システムとして実施される。公衆セルラ・システム１４０は、総移動体サービス局（ＧＭＳＣ）１３６、ホーム・ロケーション・レジスタ／サービス制御ポイント（ＨＬＲ／ＳＣＰ）１１０、移動交換局（ＭＳＣ）１１２、基地局（ＢＳ）１１４及び移動電話（ＭＴＳ）１１６、１１８を含む。公衆セルラ・システム１４０はシステムの規模に従って１以上のＭＳＣ、ＢＳ、ＧＭＳＣ又はＨＬＲ／ＳＣＰを含むものでもよい。更に、ＨＬＲ／ＳＣＰ１１０が個別のブロックとして示されているが、ＨＬＲ／ＳＣＰ機能はＭＳＣ１１２又は公衆セルラ・システム１４０の他のＭＳＣに実施されてもよい。呼のルーティングを説明する際に本発明の実施例の説明を明確にするために、移動端末はＢＳ１１４のサービス・エリアに配置されていると仮定する。移動端末が他のＭＳＣ、ＢＳ、ＧＭＳＣ又はＨＬＲ／ＳＣＰのサービス・エリアに配置されているならば、説明した実施例は同じように機能することになる。無線オフィス・システム１４２は無線オフィス（ＷＯ）ゲートウェー１２４、無線アクセス網（ＲＡＮ）１２６及び移動電話（ＭＴＳ）１２０及び１２２を含む。ＰＴＮ１０８は固定内線電話（ＦＴ）１２８及び１３０を含む。ＩＮ１０６は加入者データ・ベース１３２を含む。
ＷＯゲートウェー１２４は無線オフィス・システム１４２、ＰＴＮ１０８及び公衆セルラ・システム１４０を統合する機能を含むので、移動加入者は無線オフィス・システム１４２内にＰＴＮ１０８からの個人電話サービスを得ることができ、更に１移動端末及び１加入者番号を使用して公衆セルラ・システム１４０内で動作することもできる。ＷＯゲートウェー１２４は、自己内蔵ハードウエアに実施された、又はその代りにＲＡＮ１２６内に統合されたソフトウェア・パッケージであってもよい。ＷＯゲートウェー１２４は、ＰＴＮ１０８内に統合されているかのように、ＰＴＮ１０８をインタフェース接続する。ＷＯゲートウェー１２４は、例えばＡＮＳＩ、ＳＳ７又はＣＣＩＴＴ  Ｎｏ．７及びＰＴＮ１０８の内部信号システムであってもよいＰＬＭＮ１０２の信号システムと、ＰＴＮ１０８の内部信号システムとの間で変換を行う。ＷＯゲートウェー１２４は、使用されるＰＴＮ基準の形式に従って、ＰＴＮ１０８のノード（即ち、構内交換（ＰＢＸ））か、又はＰＴＮ１０８内の総合ディジタル通信網（ＩＳＤＮ）の一次群速度インタフェース（ＰＲＩ）端末かをエミュレートする。
無線オフィス・システム１４２の移動端末は、共同グループのＰＴＮ１０８に割り当てられてもよい。共同グループは無線オフィス・システム１４２の移動端末（ＣＭＴ）及びＰＴＮ１０８のＦＴの両方を含むものでもよい。ＦＴ共同グループ用のＰＴＮ１０８に使用される番号計画に等価な個人番号計画が共同グループに割り当てられる。この共同グループ番号計画内において、個人番号（ＰＮ）は各ＣＭＴに割り付けられる。次いで、ＷＯゲートウェー１２４はＰＴＮ１０８のルーティング及び番号付けシステムにおいて番号シリーズが割り当てられる。この番号シリーズは共同グループに属するＣＭＴの個人番号を含む。ＣＭＴの場合に、このＰＮは、ＰＴＮ１０８内の市内通話に対してダイアルされた短い番号（内線）と等価である。整合性のために、以下、ＰＴＮ１０８内のＦＴの内線番号、及び無線オフィス・システム１４２のＣＭＴの内線番号を引用するときは、用語ＰＮが使用される。
ＰＴＮ１０８の汎用ＷＯシステムの利用者は、ＰＴＮ１０８にとって通常のＦＴ利用者に見えることになる。これは、コールバック、発呼者識別（Ａ番号表示）及びオペレータ支援のように、ＰＴＮ１０８の内部サービス及び構成の使用を可能にする。加えて、ＷＯゲートウェー１２４はルーティング機能を有し、ビジタ・ロケーション・レジスタ（ＶＬＲ）（図１に図示なし）を含む。ＷＯゲートウェー１２４はインタフェースＡ及びインタフェースＢを経由してＰＴＮ１０８をインタフェース接続し、またインタフェースＣを経由してセルラ・システム１４０をインタフェース接続する。
インタフェースＣを経由してＨＬＲ／ＳＣＰ１１０のサービス制御ポイントとＷＯゲートウェー１２４との間の通信はＭＳＣ１１２を介して行われる。
ＷＯゲートウェー１２４とインタフェースＣを経由するＭＳＣ１１２との間の信号は、ＭＳＣ信号に対するＭＳＣ用の周知のいくつかの産業基準のうちの任意のもの、例えばＭＡＭＰＳ／Ｄ−ＡＭＰＳ用のＴＩＡ  ＩＳ−４１基準に従うものでよく、又はＭＳＣ信号に対するＧＳＭ  ＭＳＣ用のヨーロッパ技術基準協会（ＥＴＳＩ）基準が使用されてもよい。
ＷＯゲートウェー１２４及びＰＴＮ１０８は、インタフェースＢを経由して市内ＩＳＤＮ交換網端末（ＮＴ）機能を支援する。ＰＴＮ１０８の外部アクセス・インタフェース（Ｅｘｔａｃｃ）１５４は、ＰＴＮ１０８に対して外部ネットワークのアクセスを処理する。無線オフィス・システム１４２におけるＣＭＴは、任意の個人電話網からのように、インタフェースＢを経由してＰＴＮ１０８を呼び出すことができる。種々のＩＳＤＮ一次群速度インタフェース通信基準はインタフェースＢを経由する通信に使用されてもよい。例えばヨーロッパでは、ヨーロッパ・コンピュータ製造協会（Ｅｕｒｏｐｅａｎ  Ｃｏｍｐｕｔｅｒ  Ｍａｎｕｆａｃｔｕｒｒｉｎｇ  Ａｓｓｏｃｉａｔｉｏｎ：ＥＣＭＡ）がヨーロッパのＩＳＤＮ基準を詳細に記述しており、更に北米では米国規格協会（ＡＮＳＩ）及びベルコア（Ｂｅｌｌｃｏｒｅ）がＩＳＤＮ基準を明らかにした。これらの基準はＩＳＤＮ  ＩＴＵ  Ｉシリーズ及びＱシリーズ推奨に基づいている。ＷＯゲートウェー１２４は、ＰＴＮノードとして、又はＩＳＤＮ  ＰＲＩ端末、即ちＰＴＮ１０８の内部要素として、インタフェースＡを経由してＰＴＮ１０８と通信する。ＰＴＮ１０８のＰＴＮイントラ・アクセス・ブロック（ＩｎｔＡｃｃ）１５２は、ＰＴＮ１０８への内部アクセスを処理する。ＷＯゲートウェー１２４はインタフェースＡを使用して内部ＩＳＤＮ  ＰＲＩ端末（ＴＥ１機能）か又はＰＴＮ１０８のノード（即ち、ＰＢＸ）かをエミュレートすることができる。種々のＩＳＤＮ  ＰＲＩ及びＰＴＮノード対ノード通信基準がインタフェースＡを経由して使用されてもよい。例えば、ＡＮＳＩ及びベルコア（Ｂｅｌｌｃｏｒｅ）により北米で使用するために指定されたＱ信号が使用されてもよい。
図４に示す通信に加えて更に、ＭＳＣ１１２は、ＷＯゲートウェー１２４を介してＲＡＮ１２６及びＲＡＮ１２６の無線装置を制御する。
更に、ＷＯゲートウェー１２４はインテリジェント・ネットワーク（ＩＮ）１０６と通信をする。ＷＯゲートウェー１２４とＩＮ１０６との間の通信は、ＭＳＣ１１２を介してインタフェースＣの信号リンクを経由して実行され、ＰＬＭＮ（ＡＭＰＳ／Ｄ−ＡＭＰＳ）において統合されたＴＩＡ  ＩＳ−４１（ＳＣＰ）又はＣＣＩＴＴ  Ｎｏ．７プロトコル・インテリジェント・ネットワーク・アプリケーション部（ＩＮＡＰ）のような基準によってもよい。
図１に示す実施例では、無線オフィス・システムにおいて動作するＣＭＴに係わる全ての呼がＰＴＮ１０８を介して経路選択される。このルーティング機能は、無線オフィス・システムにおいて動作しているＣＭＴがＰＴＮ１０８のＦＴにおいて提供されるもの同じようなサービスを得られるようにする。
ＰＳＴＮ１０４の公衆利用者又はセルラ・システム１４０の公衆ＭＴＳからＣＭＴへの呼は、外線を介してＰＴＮ１０８へ、次に内部的にＷＯゲートウェー１２４を介して共同移動体へ経路選択される。ＰＴＮ１０８のＦＴからＣＭＴへの呼は、ＰＴＮ１０８内を内部的にＷＯゲートウェー１２４に、次いでＣＭＴへ経路選択される。
無線オフィス・システム１４２内のＣＭＴがＰＴＮ１０８のＦＴに、又は無線オフィス・システム１４２内の他のＣＭＴに対する呼を生起すると、ＷＯゲートウェー１２４はＰＴＮ１０８へ無条件に呼を経路選択し、更にダイヤルした番号を透過的に転送し、これによってＰＴＮ１０８を介する経路選択を保証する。これは、ＰＴＮ１０８の番号計画及び共同グループ番号計画が同一なので、可能である。
セルラ・システム１４０内に配置されたＣＭＴが無線オフィス・システム１４２の他のＣＭＴのＰＮ又はＰＴＮ１０８のＦＴのＰＮを呼び出すと、セルラ・システム１４０のＨＬＲ／ＳＣＰ１１０のサービス制御機能がＰＮをＭＩＮ番号に変換する。次いで、ＭＩＮ番号はＨＬＲ／ＳＣＰ１１０内のローミング番号に変換され、これがＰＴＮ１０８において終結する行き先となる。このために、ＰＴＮ１０８のＦＴには偽のＭＩＮ番号が割り当てられてもよい。ＰＴＮ１０８は外部のネットワークなので、セルラ・システム１４０は呼をＧＭＳＣ１３６へ経路選択をする。次いで、この呼は、ＰＳＴＮ１０４及びＰＴＮ１０８を介してＷＯゲートウェー１２４に、次に無線オフィス・システム１４２に返送するように経路選択される。次いで、ＷＯゲートウェー１２４はインタフェースＣを経由して被呼ＣＭＴの位置の情報に関する要求をＨＬＲ１１０に送出することになる。
無線オフィス・システム１４２内に配置されたＣＭＴからＰＳＴＮ１０４の公衆利用者へ、又はセルラ・システム１４０内のＣＭＴに対して呼が作成されたときは、プレフィックスをダイヤルすることにより、ＰＴＮ１０８からの外線が要求されてもよい。卓上電話からの外部呼に対すると同一の手順を提供するために、ＰＴＮ１０８に設けられた支援に従って、第２のダイヤルトーンが使用されてもよい。
ここで図２を参照すると、図１に示す本発明の実施例の機能ブロック図が示されている。この実施例は、ＰＴＮ１０８のＣＭＴに係わる呼のためにＰＬＭＮ１０２内に基本的なルーチング機能を設けている。この基本的なルーチング機能は、無線オフィス・システム１４２のＣＭＴが公衆セルラ・システム１４０内をローミングするのを可能にする。図２の実施例において、インタフェースＣは、ＨＬＲ／ＳＣＰ１１０に対して情報要求を作成するためにＷＯゲートウェー１２４により使用されて、ＭＳＣ１１２からＲＡＮ１２６に制御信号を搬送させる。無線オフィス・システム１４２に配置されたＣＭＴと、セルラ・システム１４０内をローミングしているＣＭＴとの間における実際の呼の音声トラヒックは、ＰＴＮ１０８及びＧＭＳＣ１３６を介して経路選択される。ＷＯゲートウェー１２４は、ＲＡＮリンク２１６、ディジタル加入者信号器ａ（ＤＳＳ１ａ）２１８、ＩＳＤＮデータ・リンク・レイヤ・プロトコルａ（ＬＡＰＤａ）２２２、呼出しコントローラ（呼び出し制御）２２０、ビジタ・ロケーション・レジスタ（ＶＬＲ）２２６、ＨＬＲ問い合わせ器ａ（ＨＬＲ  ｅｎｑａ）２１２、及びＶＬＲ問い合わせ器ａ（ＶＬＲ  ｅｎｑａ）２１０を含む。ＨＬＲ／ＳＣＰ１１０は、サービス制御機能（ＳＣＦ）２０２、ホーム・ロケーション・レジスタ（ＨＬＲ）２０６、ＨＬＲ問い合わせ器ｃ（ＨＬＲ  ｅｎｑｃ）２２８、及びＶＬＲ問い合わせ器ｃ（ＶＬＲ  ｅｎｑｃ）２０８を含む。ＰＴＮ１０８は、ＰＴＮコントローラ（ＰＴＮ  Ｃｔｒｌ）２２４、ディジタル加入者信号ｂ（ＤＳＳＳ１ｂ）２３０及びＩＳＤＮデータ・リンク・レイヤ・プロトコルｂ（ＬＡＰＤｂ）２３２を包含する。
前述のように、ＣＭＴを含む全ての呼はＰＴＮ１０８を介して経路選択される。ＲＡＮリンク２１６は、呼を無条件に経路選択し、かつＤＳＳ１ａ２１８及びＤＳＳＳ１ｂ２３０を介してＰＴＮ１０８にダイヤルした番号を透過的に転送することにより、図１のＲＡＮ１２６に生起するＣＭＴに係わる呼を処理する。ＲＡＮ１２６においてＣＭＴに対する呼の場合、ＲＡＮリンク２１６は、呼制御２２０から受信したローミング番号により、示された移動加入者に設定の呼を実行する。ＤＳＳ１ａ２１８及びＬＡＰＤａ２２２はＩＳＤＮ  ＰＲＩ端末又はＰＴＮ１０８のノードをエミュレートすることができる。呼制御２２０は、ＣＭＴにより終端するＤＳＳ１ａ２１８及びＤＳＳ１ｂ２３０を通り、ＰＴＮ１０８を介して受信される呼要求を処理する。ＶＬＲ２２６は無線オフィス・システム１４２内をローミングしている公衆セルラ・システム１４０の移動加入者用のビジタ・データ・ベースを含む。ＨＬＲ  ｅｎｑａ２１２は、下位レイヤ転送プロトコルを使用することにより、ＨＬＲ  ｅｎｑｃ２２０を介するＨＬＲ／ＳＣＰ１１０との通信を処理して終端ＣＭＴのローミング数を判断する。ＶＬＲ  ｅｎｑａ２１０はＶＬＲ  ｅｎｑｃ２０８を介してＨＬＲ／ＳＣＰ１１０との通信を処理して無線オフィス・システム１４２内に配置されたＣＭＴの移動性管理を制御する。ＲＡＮ１２６は、制御に必要とされる全ての機能、及び無線オフィス・システム１４２内で経路選択を実行する機能的実体を含む。
ＰＴＮ１０８を介してトラヒック・パスを必要とするＣＭＴに対する呼のためにＭＳＣ１１２からインタフェースＣを経由してＷＯゲートウェー１２４への呼設定メッセージ、及びＰＬＭＮ１０２におけるＣＭＴに対する呼設定を必要とするＰＴＮ１０８からインタフェースＡを経由してＷＯゲートウェー１２４への呼設定メッセージは、共にＰＮに導かれる。２形式の呼を区別するために、ＷＯゲートウェー１２４内の呼制御機能は、呼がＰＴＮ１０８に又はＰＬＭＮ１０２に導かれることを表示する被呼ネットワーク・エレメント（ＣＮＥ）を付加する。この被呼ネットワーク・エレメントは呼設定記録に付加される。例えば、インタフェースＣを経由して呼が要求されたときは、ＣＮＥは被呼ネットワークとしてＰＴＮ１０８を示し、またインタフェースＡを経由して要求されたときは、ＣＮＥは被呼ネットワークとしてＰＬＭＮ１０２を示す。
ＰＮは、ＣＭＴを識別するためにＷＯゲートウェー１２４及びＰＴＮ１０８内で使用される唯一の番号である。公衆セルラ・システム１４０内において、ＷＯゲートウェー１２４がＰＮを使用して、ＨＬＲ／ＳＣＰ１１０からＣＭＴの位置に関する情報をＶＬＲ  ｅｎｑａ２１０を介して要求するときは、ＳＣＦ２０２はＰＮをＣＭＴのＭＩＮに変換する。無線オフィス・システム内の番号計画（ＷＯＮＰ）は変換に使用される。
以下の呼シナリオの場合（場合１〜場合６）を参照して、ＣＭＴに係わる全ての呼がＰＴＮ１０８を介して経路選択される図２の実施例のルーチング構成を説明することができる。
場合１：ＰＴＮ１０８又はＰＳＴＮ１０４におけるＦＴから無線オフィス・システム１４２に配置されたＣＭＴへの呼：
１）ＰＴＮ１０８又はＰＳＴＮ１０４におけるＦＴの利用者は、ＰＴＮ１０８からの呼であれば端末のＰＮ、又はＰＳＴＮ１０４からの呼であれば端末の完全な会社加入者番号をダイヤルすることにより、ＣＭＴに対する呼を生起する。
２）ＰＮ又は加入者番号は、ＷＯゲートウェー１２４に導かれたＰＴＮ１０８内の線で終端する。ＰＴＮ  Ｃｔｒｌ２２４はインタフェースＡを経由してＷＯゲートウェー１２４に呼を導く。
３）インタフェースＡを経由して呼が要求されると、ＷＯゲートウェー１２４及び呼制御２２０は、被呼ネットワーク・エレメント（ＣＮＥ）をＰＬＭＮ１０２に設定する。
４）呼制御２２０は、被呼ＣＭＴのＰＮをＢ番号として、かつ無線オフィス・システム１４２を生起体（ｏｒｉｇｉｎａｔｉｎｇ  ｅｎｔｉｔｙ）として使用することにより、ＨＬＲ  ｅｎｑａ２１２及びＨＬＲ  ｅｎｑｃ２２８を介してＨＬＲ２０６に問い合わせをする。ＨＬＲ２０６は、ＷＯＮＰによりＰＮが有効であるかを判断し、またＳＣＦ２０２はＷＯＮＰデータベースから終端ＭＩＮを抽出する。次いで、被呼ＣＭＴ加入者用のローミング番号はＨＬＲ２０６から抽出されて、ＨＬＲ  ｅｎｑｃ２２８及びＨＬＲ  ｅｎｑａ２１２を介してＷＯゲートウェー１２４に返送される。
５）被呼ＣＭＴは無線オフィス・システム１４２内に配置されているので、ローミング番号はＲＡＮ１２６において終端する。
６）呼制御２２０はＲＡＮリンク２１６を介してＣＭＴに対する呼を完了する。
場合２：無線オフィス・システム１４２に配置された第１のＣＭＴから無線オフィス・システム１４２に配置された第２のＣＭＴ又はＰＴＮ１０８のＦＴへの呼：
１）第１のＣＭＴの利用者は、ＰＴＮ１０８のＦＴのＰＮ、又は無線オフィス・システム１４２内に配置された第２のＣＭＴのＰＮをダイヤルすることにより、呼を生起する。
２）ＷＯゲートウェー１２４のＲＡＮリンク２１６は、ＲＡＮ１２６を介して呼を受信する。
３）呼はＣＭＴからのものなので、呼はＰＴＮ１０８へ無条件へ経路選択される。更に、ダイヤルした番号は信号リンク上をＰＴＮ１０８に向けて透過的に送出される。
４）ダイヤルした番号がＦＴで終端するのであれば、ＰＴＮ１０８は呼を完了する。
５）ダイヤルした番号が第２のＣＭＴのＰＮであれば、ＰＴＮ１０８は（第２のＣＭＴのＰＮ番号をＢ番号として）呼をＷＯゲートウェー１２４に返送するようへ経路選択をする。
６）呼がインタフェースＡを経由してＷＯゲートウェー１２４に返送するようへ経路選択されると、ＷＯゲートウェー１２４の呼制御２２０は被呼ネットワークの識別をＰＬＭＮ１０２に設定する。
７）呼制御２２０は、第２のＣＭＴのＰＮ番号をＢ番号として使用し、ＨＬＲ  ｅｎｑａ２１２及びＨＬＲ  ｅｎｑｃ２０８を介してＨＬＲ２０６に問合せをする。ＨＬＲ２０６は、ＰＮ番号がＷＯＮＰにより有効であることを判断し、またＳＣＦ２０２はＷＯＮＰデータベースから終端ＭＩＮを抽出する。次いで、第２のＣＭＴに対するローミング番号がＨＬＲ２０６から抽出されて、ＨＬＲ  ｅｎｑｃ２２８及びＨＬＲ  ｅｎｑａ２１２を介してＷＯゲートウェー１２４に返送される。
７）第２のＣＭＴは無線オフィス・システム１４２内に配置されているので、ローミング番号はＲＡＮ１２６において終端する。
８）呼制御２２０はＲＡＮリンク２１６を介した第２のＣＭＴに対する呼を完了する。
場合３：公衆セルラ・システム１４０におけるＣＭＴローミング又はセルラ・システム１４０に配置された公衆移動端末装置（ＰＭＴ）から無線オフィス・システム１４２に配置されたＣＭＴ又はＰＴＮ１０８のＦＴに対する呼：
１）セルラ・システム１４０内をローミングするＣＭＴの利用者がＣＭＴのＰＮをダイヤルすることにより生起する、又は代わってＰＭＴの利用者がＣＭＴ用の完全な加入者番号をダイヤルすることにより呼を生起する。
２）ＭＳＣ１１２は基地局１１４を介して呼を受信し、被呼番号をＢ番号として、また呼出し移動端末ＭＩＮを生起番号として使用することにより、ＨＬＲ  ｅｎｑｃ２２８を介してＨＬＲ２０６に問い合わせをする。ＣＭＴが呼を作成する場合は、ＨＬＲ２０６はダイヤルしたＰＮが有効であることを判断し、またＳＣＦ２０２はＰＮＰデータベースから終端点を抽出する。ＰＭＴが呼を生起する場合は、終端点はＰＮＰデータベースを使用することなく、ＨＬＲ２０６から直接抽出される。いずれの場合においても、終端点はＰＳＴＮ１０４におけるＰＴＮ番号のうちの一つとして示された固定電話番号である。この番号はＷＯゲートウェー１２４の番号シリースに属していても、又はＰＴＮ１０８のＦＴの番号であってもよい。ＰＳＴＮ番号はＭＳＣ１１２に返送される。
３）呼はＭＳＣ１１２に返送される。
４）ＧＭＳＣ１３６は、終端点の完全な加入者番号を使用することにより、ＰＳＴＮ１０４に向けて呼の設定を実行する。
５）ＰＳＴＮ１０４は、ＰＴＮ１０８における被呼番号に到達するように直接ダイヤルを使用することにより、ＰＴＮ１０８に向けて呼の設定を実行する。
６）被呼番号がＰＴＮ１０８のＦＴで終端するときは、呼を完了する。被呼番号がＷＯゲートウェー１２４の番号シリーズに属するときは、ＰＴＮ  Ｃｔｒｌ１２４は、被呼ＣＭＴのＰＮをＢ番号として使用することにより、インタフェースＡを経由してＷＯゲートウェー１２４に呼を経路選択させる。
７）インタフェースＡを経由してＷＯゲートウェー１２４において呼が受信されると、呼制御２２０は被呼ネットワーク識別をＰＬＭＮ１０２に設定する。
８）呼制御２２０は、被呼ＣＭＴのＰＮ番号をＢ番号として、かつ無線オフィス・システム１４２を生起体として使用することにより、ＨＬＲ  ｅｎｑａ２１２及びＨＬＲ  ｅｎｑｃ２２８を介してＨＬＲ２０６に問い合わせをする。呼は無線オフィス・システム１４２において生起していると表示されるので、ＷＯＮＰは有効となる。次いで、ＳＣＦ２０２はＷＯＮＰデータベースから終端ＭＩＮを抽出し、また被呼ＣＭＴ用のローミング番号はＨＬＲ２０６により抽出されてＷＯゲートウェー１２４に返送される。
９）ローミング番号はＲＡＮ１２６において終端する。
１０）ＣＭＴに対する呼を完了する。
場合４：無線オフィス・システム１４２内に配置されたＣＭＴから、又はＰＴＮ１０８のＦＴから、又はＰＳＴＮ１０４における固定電話から公衆セルラ・システム１４０内をローミングしているＣＭＴへの呼：
１）ＰＴＮ１０８の固定卓上電話又は無線オフィス・システム１４２内に配置されたＣＭＴの利用者は、公衆セルラ・システム１４０内をローミングしているＣＭＴのＰＮをダイヤルすることにより、呼を生起する。代わって、ＰＳＴＮ１０４内の公衆電話の利用者は、ＣＭＴの完全な会社加入者番号をダイヤルする。
２）ＰＮ又は会社加入者番号はＷＯゲートウェー１２４の番号シリーズに属するＰＴＮ１０８内の回線で終端する。次いで、ＰＴＮ  Ｃｔｒｌ  ２２４は被呼ＣＭＴのＰＮをインタフェースＡ上のＢ番号として使用することにより、呼をＷＯゲートウェー１２４へ経路選択させる。
３）インタフェースＡを経由してＷＯゲートウェー１２４において呼が受信されると、呼制御２２０は被呼ネットワーク識別をＰＬＭＮ１０２に設定する。
４）呼制御２２０は、被呼ＣＭＴのＰＮをＢ番号として、及び無線オフィス・システム１４２を生起体として使用することにより、ＨＬＲ２０６に問い合わせをする。無線オフィス・システム１４２において生起しているとして表示された呼の場合、ＨＬＲ２０６はＷＯＮＰが有効であると判断し、かつＳＣＦ２０２はＷＯＮＰデータベースから終端ＭＩＮを抽出し、かつＨＬＲ２０６によりローミング番号が抽出されてＷＯゲートウェー１２４に返送される。
５）ローミング番号は公衆セルラ・システム１４０のノードにおいて終端し、またＷＯゲートウェー１２４はＰＳＴＮ１０４及びＰＬＭＮ１０２を介する出接続のために呼をＰＴＮ１０８へ経路選択させる。
６）ＰＴＮ１０８はＰＳＴＮ１０４に対して外方向に導かれた通常の呼のために機能し、かつローミング番号をＢ番号としてＰＳＴＮ１０４へ経路選択させる。
７）ＰＳＴＮ１０４は、ローミング番号が公衆セルラ・システム１４０内にあることを認識して、呼をＧＭＳＣ１３６へ経路選択させる。
８）ＧＭＳＣ１３６は呼をＭＳＣ１１２へ経路選択させる。
９）ＣＭＴに対する呼を公衆セルラ・システム１４０内で完了する。
場合５：無線オフィス・システム１４２に配置されたＣＭＴからＰＳＴＮ１０４内の任意の他の公衆加入者（ＰＬＭＮ１０２内のＰＭＴ又はＰＳＴＮ１０４内の他の公衆加入者）への呼：
１）無線オフィス・システム１４２内に配置されたＣＭＴの利用者は、２ディジトの外線プレフィックス＋公衆電話番号をダイヤルすることにより、呼を生起してＰＴＮ１０８の外線を介する公衆加入者に呼を要求する。
２）ＷＯゲートウェー１２４のＲＡＮリンク２１６はＲＡＮ１２６を介して呼を受信する。
３）発呼者はＣＭＴであるので、呼は無条件にＰＴＮ１０８へ経路選択される。ダイヤルした番号は透過的に信号リンク上をＰＴＮ１０８へ送出される。
４）ＰＴＮ１０８は、公衆ネットワークに行くどのような呼にも機能し、ダイヤル番号をＢ番号として呼をＰＳＴＮ１０４へ経路選択させる。
５）ＰＳＴＮ１０４はダイヤルした番号の行き先を認識する。行き先がＰＳＴＮ１０４であるときは呼を完了する。ダイヤルした番号がＰＬＭＮ１０２に見い出されると、呼はＧＭＳＣ１３６へ経路選択され、ステップ６、７及び８を終了する。
６）ＧＭＳＣ１３６は、ダイヤルした番号をＢ番号として使用することにより、ＨＬＲ２０６に問い合わせをする。ＨＬＲ２０６は、この番号がＰＬＭＮ１０２におけるＷＯＮＰに属していないＰＳＴＮ加入者であると確認し、かつ終端点はＳＣＦ２０２との干渉なしに直接抽出される。ＨＬＲ２０６はＰＭＴ用のローミング番号をＧＭＳＣ１３６に返送する。
７）ＧＭＳＣ１３６は呼をローミング番号により示されたＭＳＣ１１２へ経路選択させる。
８）ＰＭＴに対する呼を完了する。
場合６：セルラ・システム１４０内に配置されているＣＭＴ、又はセルラ・システム１４０内に配置されているＰＭＴからセルラ・システム１４０内に配置されているＣＭＴへの呼：
１）セルラ・システム１４０内をローミングしているＣＭＴ利用者は、セルラ・システム１４０内に配置されている他のＣＭＴのＰＮをダイヤルすることにより、呼を生起する。代わって、ＰＭＴはセルラ・システム１４０内に配置されたＣＭＴの完全な会社加入者番号をダイヤルする。
２）ＭＳＣ１１２はダイヤルした番号をＢ番号として、かつ呼出し移動端末のＭＩＮを生起番号として使用することにより、ＨＬＲ２０６に問い合わせをする。ＣＭＴに対する呼の場合、ＨＬＲ２０６は、ＷＯＮＰが有効であると判断し、ＳＣＦ２０２はＩＮ１０６のＷＯＮＰデータベースから終端点を抽出する。ＰＭＴからの呼の場合、終端点が直接抽出される。いずれの場合においても、ポイントはＷＯゲートウェー１２４の番号シリーズに属する固定ＰＳＴＮ番号である。
３）呼はＧＭＳＣ１３６へ経路選択される。
４）ＧＭＳＣ１３６は、ＰＳＴＮ番号を使用して、ＰＳＴＮ１０４に対する呼設定を実行する。
５）ＰＳＴＮ１０４は、ＰＴＮ１０８に到達するように直接的なダイヤル操作を使用することにより、ＰＴＮ１０８に対する呼設定を実行する。
６）ＰＳＴＮ番号はＷＯゲートウェー１２４の番号シリーズに属するので、ＰＴＮ  Ｃｔｒｌ  ２２４は、被呼ＣＭＴのＰＮをＢ番号として使用することにより、呼をインタフェースＡを経由してＷＯゲートウェー１２４へ経路選択させる。
７）呼はインタフェースＡを経由してＷＯゲートウェー１２４で受信されるので、呼制御２２０は被呼ネットワーク識別をＰＬＭＮに設定する。
８）呼制御２２０は、被呼ＣＭＴのＰＮをＢ番号として、また無線オフィス・システム１４２を生起体として使用することにより、ＨＬＲ  ｅｎｑａ２１２及びＨＬＲ  ｅｎｑｃ２２８を介してＨＬＲ２０６に問い合わせをする。呼は無線オフィス・システム１４２に生起しているとして表示されるので、ＨＬＲ２０６はＷＯＮＰが有効であると判断し、またＳＣＦ２０２はＷＯＮＰデータベースから終端ＭＩＮ抽出し、かつローミング番号がＷＯゲートウェー１２４に返送される。
９）ローミング番号は公衆セルラ・システム１４０のノードにおいて終端するので、ＷＯゲートウェー１２４は、ＰＳＴＮ１０４を介して公衆セルラ・システム１４０に出接続をするために呼をＰＴＮ１０８へ経路選択させる。
１０）ＰＴＮ１０８はＰＳＴＮ１０４の外側に要求されたどのような呼に関しても機能し、ローミング番号をＢ番号として使用することにより、呼をＰＳＴＮ１０４へ経路選択させる。
１１）ＰＳＴＮ１０４はローミング番号がセルラ・システム１４０に見出されるのを認識して、呼をＧＭＳＣ１３６へ経路選択させる。
１２）ＧＭＳＣ１３６は呼を被呼ＣＭＴのローミング番号により示されたＭＳＣ１１２へ経路選択させる。
１３）ＣＭＴに対する呼を完了する。
ここで図３を参照すると、本発明の他の実施例が示されている。この実施例は図１に示すシステムに実施されてもよい。この実施例は無線オフィス・システム１４２のセルと公衆セルラ・システム１４０との間の発呼のハンドオーバを支援する。更に、この実施例はＣＭＴが無線オフィス・システム１４２にある間にＰＳＴＮ１０４のサービスを使用できるようにする。図３の実施例は図２の実施例と異なり、図３のものにおいて、インタフェースＣは図３におけるＭＳＣ１１２とＷＯゲートウェー１２４との間の直接中継線接続となる。この直接中継線はＭＳＣ１１２とＷＯゲートウェー１２４との間の呼トラヒックを搬送することができる。セルラ・システム１４０におけるＣＭＴ及び無線オフィス・システム１４２は、ＭＳＣ１１２とＷＯゲートウェー１２４との間の中継線を経由して直接接続されてもよい。ＰＴＮ１０８及びＧＭＳＣ１３６を介するルーティングは、これらの呼にとって必要ではない。更に、無線オフィス・システム１４２のセルとセルラ・システム１４０のセルとの間のハンドオーバが支援されている。加えて、この構成は、ＰＴＮ１０８から外線を要求することにより、セルラ・システム１４０内をローミングしているＣＭＴがＰＳＴＮ１０４の公衆加入者を呼出しできるようにする。ＭＳＣ１１２とＷＯゲートウェー１２４との間の中継線は、共同グループＭＴＳをＷＯゲートウェー１２４に接続するために使用されるだけである。ＰＭＴからＣＭＴへの呼は、図２の実施例のように、ＧＭＳＣ１３６〜ＰＴＮ１０８及びＷＯゲートウェー１２４を介して経路選択される。
図３の構成では、付加的な機能が図２に示された構成に付加された。ＷＯゲートウェー１２４は、ＭＳＣルーティング機能ａ３０２により得られる付加的なＭＳＣルーティング機能を包含する。更に、ＭＳＣ１１２は、ＭＳＣルーティングｂ３０４及びＭＳＣ制御３０６により得られる付加的なＭＳＣルーティング機能を包含する。この構成において、呼制御２２０は、更にＭＳＣ１１２を介し、ＰＴＮ１０８に向けてＣＭＴによる発呼を処理するように強化され、またローミング番号がセルラ・システム１４０において終端するのであれば、インタフェースＣを経由してＭＳＣ１１２におけるＣＭＴに対して作成された呼を経路選択させるように強化される。ＭＳＣ制御３０６は、ＭＳＣ１１２の通常機能を実行し、また図３においてＭＳＣルーティングｂ３０４機能からこれらの機能を区別するために使用される。
図１及び以下の呼シナリオの場合（場合７〜場合１０）を参照して、図３の実施例を説明することができる。
場合７：セルラ・システム１４０内をローミングしているＣＭＴから無線オフィス・システム１４２内に配置されたＣＭＴへの呼：
１）セルラ・システム１４０内をローミングしているＣＭＴの利用者は、セルラ・システム１４０内に配置された他のＣＭＴのＰＮをダイヤルすることにより、呼を生起する。
２）ＭＳＣ１１２はＢＳ１１４を介して呼を受信し、かつ被呼組ＣＭＴのＰＮをＢ番号として、また呼出しＣＭＴのＭＩＮを生起番号として使用することにより、ＨＬＲ２０６に問い合わせをする。被呼ＣＭＴの場合、ＰＮが有効であり、またＨＬＲ２０６はＳＣＦ２０２にＰＮＰデータベースから終端点を抽出するように信号する。終端点は、無線オフィス・システム１４２において固定電話番号（ＰＮＰに属するＰＳＴＮ内のＰＴＮグループ番号）に見える加入者番号である。次いで、ＷＯゲートウェー１２４を指示するゲートウェー番号が返送される。
３）この呼は、被呼ＣＭＴのＰＮをＢ番号としてＭＳＣ１１２からＷＯゲートウェー１２４へ経路選択される。呼制御２２０は、呼がインタフェースＣの中継線を経由して受信されると、被呼網識別をＰＴＮに設定する。
４）ＷＯゲートウェー１２４は、被呼ＣＭＴのＰＮをＢ番号としてＰＴＮ１０８に対する出ゲートウェー機能を実行する。
５）被呼ＰＮはＷＯゲートウェーＰＮＰ５０に属し、ＰＴＮ  Ｃｔｒｌ  ２２４はコール・バックを（ＰＮをＢ番号として）インタフェースＡを経由してＷＯゲートウェー１２４へ経路選択させる。
６）呼がインタフェースＡを経由してＷＯゲートウェー１２４において受信されると、呼制御２２０は被呼ネットワーク識別をＰＬＭＮに設定する。
７）呼制御２２２は、被呼ＰＮをＢ番号として、また共同無線システム１４０を生起体として使用することにより、ＨＬＲ  ｅｎｑａ２１２及びＨＬＲ  ｅｎｑｃ２２０を介してＨＬＲ２０６に問い合わせをする。共同無線システム１４０において生起した呼の場合、ＷＯＰＮは有効である。ＳＣＦ２０２はＷＯＮＰデータベースから終端ＭＩＮを抽出し、かつローミング番号がＨＬＲ２０６により抽出されてＷＯゲートウェー１２４に返送される。
８）ローミング番号はＲＡＮ１２６において終端する。
９）ＣＭＴに対する呼を完了する。
場合８：無線オフィス・システム１４２に配置されたＣＭＴからセルラ・システム１４０に配置されたＣＭＴへの呼：
１）無線オフィス・システム１４２内のＣＭＴのユーザは、セルラ・システム１４０に配置されたＣＭＴのＰＮをダイヤルすることにより、呼を生起する。
２）ＷＯゲートウェー１２４のＲＡＮリンク２１６の機能は、ＲＡＮ１２６から呼を受信する。
３）発呼者はＣＭＴなので、この呼は無条件にＰＴＮ１０８へ経路選択される。更に、ダイヤルされたＰＮは信号リンク上にＰＴＮ１０８へ透過的に送出される。
４）このＰＮはＷＯゲートウェー１２４の割り当てられた番号シリーズに属するＰＴＮ１０８内の回線で終端する。ＬＡＰＤａ２２２は、（ＣＭＴのＰＮ番号をＢ番号として）呼をインタフェースＡを経由してＷＯゲートウェー１２４に転送する。
５）この呼がインタフェースＡを経由してＷＯゲートウェー１２４で受信されると、呼制御２２０は被呼網識別をＰＬＭＮに設定する。
６）ＷＯゲートウェー１２４の呼制御２２０は、ＣＭＴのＰＮ番号として、かつ無線オフィス・システム１４２を生起体として、ＨＬＲ２０６に問い合わせをする。無線オフィス・システム１４２における生起として示された呼の場合、ＷＯＮＰは有効であり、またＳＣＦ２０２はＷＯＮＰデータベースから終端ＭＩＮを抽出し、かつローミング番号がＨＬＲ２０６により抽出されて、ＷＯゲートウェー１２４に返送される。
７）ローミング番号はセルラ・システム１４０のノードにおいて終端し、ＷＯゲートウェー１２４は呼をローミング番号により指示されたセルラ・システム１４０のＭＳＣ１１２へ経路選択させる。
８）セルラ・システム１４０に配置されたＣＭＴに対する呼を完了する。
場合９：セルラ・システム１４０内でローミングしているＣＭＴからセルラ・システム１４０内のＰＭＴへの呼。
１）セルラ・システム１４０内でローミングしているＣＭＴの利用者は、セルラ・システム１４０に配置されたＰＭＴに呼を要求するために、外線プレフィックス＋ＰＭＴの番号をダイヤルすることにより、呼を生起する。
２）ＭＳＣ１１２は、ＣＭＴのＭＩＮを生起番号として使用することにより、ＨＬＲ２０６に問い合わせをする。ＣＭＴの場合、ＰＮＰは有効であり、またＳＣＦ２０２はＰＮＰデータベースから終端点を抽出する。Ｂ加入者（外線機能、ＰＴＮ１０８に配置されている。無線オフィス・システム１４２では、Ｂ加入者が固定電話利用者に見える。従って、ＷＯゲートウェー１２４を指示しているゲートウェー番号が返送される。
３）呼はＷＯゲートウェー１２４へ経路選択される。
４）ＷＯゲートウェー１２４はＰＴＮ１０８から外線を要求する。
５）ＰＴＮ１０８は公衆利用者に要求したどのような呼にも作動し、かつＢ番号としてダイヤルされた番号により、呼をＰＳＴＮ１０４へ経路選択させる。
６）ＰＳＴＮ１０４はＰＬＭＮ１０２に見い出される行き先を識別して、呼はＧＭＳＣ１３６へ経路選択される。
７）ＧＭＳＣ１３６は、ダイヤルした番号をＢ番号として、また公衆ＰＳＴＮ番号（ＰＴＮ１０８の共同グループに属するもの）を生起体として、ＨＬＲ１１２に問い合わせをする。ＨＬＲ１１２は、この番号が無線オフィス・システム１４２のＷＯＮＰに属していないと認識して、終端点がＳＣＦ２０２と干渉することなく直接抽出される。ＨＬＲ１１２は公衆加入者のローミング番号を返送する。
８）ＧＭＳＣ１３６は、呼をローミング番号により指示されたＭＳＣ１１２へ経路選択させる。
９）ＣＭＴに対する呼を完了する。
場合１０：セルラ・システム１４０内のＰＭＴからセルラ・システム１４０内をローミングしているＣＭＴへの呼：
１）セルラ・システム１４０内のＰＭＴのユーザは、セルラ・システム１４０に配置されたＣＭＴを完全な会社加入者番号をダイヤルする。
２）ＭＳＣ１１２は、完全な会社加入者番号をＢ番号として、かつ呼出すＰＭＴのＭＩＮを生起番号として使用することにより、ＨＬＲ２０６に問い合わせをする。発呼者はＰＭＴであるので、終端点はＳＣＦ２０２からの支援なしに抽出される。終端点は、ＷＯゲートウェー１２４のＰＮＰに属したＰＳＴＮ内のＰＴＮ番号のうちの一つである固定電話番号である。ＰＳＴＮ１０４に対するＰＳＴＮのゲートウェー番号が返送される。
３）呼はＧＭＳＣ１３６へ経路選択される。
４）ＧＭＳＣ１３６は、完全な会社加入者番号を使用することにより、ＰＳＴＮ１０４に向けて呼の設定を実行する。
５）ＰＳＴＮ１０４は、完全な会社加入者番号によりＰＴＮ１０８に向けて呼の設定を実行する。
６）ＰＮはＷＯゲートウェー１２４のＰＮＰに属する。ＰＴＮ  Ｃｔｒｌ  ２２４は呼をＷＯゲートウェー１２４へ経路選択させる。
７）呼がインタフェースＡを経由してＷＯゲートウェー１２４により受信されると、呼制御２２０は被呼網識別をＰＬＭＮに設定する。
８）呼制御２２０は、被呼ＣＭＴ番号のＰＮをＢ番号として、かつ無線オフィス・システム１４２を生起体として、ＨＬＲ２０６に問い合わせをする。無線オフィス・システム１４２において生起した呼の場合、ＷＯＮＰは有効であり、またＳＣＦ２０２はＷＯＮＰデータベースから終端ＭＩＮを抽出してローミング番号がＷＯゲートウェー１２４に返送される。
９）ローミング番号はセルラ・システム１４０のノードにおいて終端し、ＷＯゲートウェー１２４は呼をローミング番号により指示されたＭＳＣ１１２へ経路選択させる。
１０）ＣＭＴに対する呼を完了する。
更に、図３に示す実施例は、無線オフィス・システム１４２がＰＬＭＮ１０２内に包含されているかのように、ＰＭＴをローミング可能にさせる他の機能（ゲスト機能）を含むように構成されてもよい。ＲＡＮ１２６及びＷＯゲートウェー１２４は、ゲスト機能により、無線オフィス・システム１４２内の共同グループ（ゲスト）に属していないセルラ・システム１４０のＰＭＴを支援することができる。この実施例は、ＰＭＴがセルラ・システム１４０の一部として無線オフィス・システム１４２を使用できるようにする。
ゲスト機能において、ＷＯゲートウェー１２４はＰＴＮ１０８からの支援なしにＰＬＭＮ１０２に対する切り換え機能を実行するように強化される。ＲＡＮリンク２１６は、無線オフィス・システム１４２において動作しているＰＭＴ又はＣＭＴが呼を起動すると、呼出し番号（Ａ番号）の解析を実行するように強化される。Ａ番号解析中に、ＲＡＮリンク２１６は、ＶＬＲ２１４から呼出しＭＴについての情報を抽出して、ＭＴが共同又は公衆ＭＴであるかを判断する。ＭＳＣルーティング機能３０２はＨＬＲ／ＳＣＰ１１０からＷＯゲートウェー１２４へ直接中継線上のゲストを処理するように強化される。ＶＬＲ２２６は、ＭＴが無線オフィス・システム１４２に登録しているときに、ＰＭＴとＣＭＴとの間の区別を可能とするように強化される。ＶＬＲ２２６はＨＬＲ２０６の加入者データベースにより利用者の特徴を判断する。この利用者の特徴はＶＬＲ２２６内にレジスタに記憶される。
移動加入者が無線オフィス・システム１４２のセルに登録されると、加入者（公衆又は共同グループ）の属性がＨＬＲ２０６からダウンロードされて、ＷＯゲートウェー１２４のＶＬＲ２２６に記憶される。無線オフィス・システム１４２内に配置された移動加入者に係わる呼を処理する際に、ＷＯゲートウェー１２４は属性情報を使用してゲストと共同移動加入者との間を識別することになる。この構成では、ローミングしている公衆移動加入者（ゲスト）に係わる呼は、ＭＳＣ１１２とＷＯゲートウェー１２４との間の直接中継線を経由して経路選択される。
呼が無線オフィス・システム１４２内に配置された公衆移動端末装置から起動されると、呼制御２２０はＨＬＲ  ｅｎｑａ２１７及びＨＬＲ  ｅｎｑｂ２２８を介してＨＬＲ２０６から位置情報を要求し、逆にローミング番号を受信する。呼制御２２０は呼をローミング番号に従ってＰＭＴへ経路選択させる。呼が無線オフィス・システム１４２内をローミングしているＰＭＴに対して起動されると、呼制御１２２は呼をゲスト・ローミング番号へ経路選択させる。図３及び以下の呼シナリオの場合（場合１２〜場合１４）を参照して、ゲスト機能を含む実施例を説明することができる。
場合１２：無線オフィス・システム１４２内のＰＭＴから無線オフィス・システム１４２内のＣＭＴへの呼。
１）無線オフィス・システム１４２におけるＰＭＴの利用者は、どのような公衆利用者に関してもＣＭＴの完全な会社加入者番号をダイヤルすることにより、呼を生起する。
２）ＷＯゲートウェー１２４のＲＡＮリンク２１６機能は、発呼者がゲストであることを判断する。ＷＯゲートウェー１２４の呼制御２２０は呼を受信する。
３）ＷＯゲートウェー１２４は、ダイヤルした番号をＢ番号として、かつＰＭＴのＭＩＮを生起番号として使用することにより、ＨＬＲ２０６に問い合わせをする。発呼者はＰＭＴ（ゲスト）であるので、終端点は直接抽出される。終端点は終端点は固定電話番号であり、これはＷＯゲートウェー１２４のＰＮＰに属するＰＳＴＮにおけるＰＴＮグループ番号のうちの一つである。ＰＳＴＮゲートウェー番号が返送される。
４）呼はＭＳＣ１１２へ経路選択される。
５）呼はＧＭＳＣ１３６へ経路選択される。
６）ＧＭＳＣ１３６は、ダイヤルした完全な会社加入者番号を使用することにより、ＰＳＴＮ１０４に向けて呼設定を実行する。
７）ＰＳＴＮ１０４は、ＰＴＮ１０８における被呼加入者番号に到達するように、直接ダイヤル操作を使用してＰＴＮ１０８に向けて呼設定を実行する。
８）被呼番号はＷＯゲートウェー１２４のＰＮＰに接続された回線において終端する。ＰＴＮ  Ｃｔｒｌ  ２２４は、（共同加入者のＰＮをＢ番号として）呼をインタフェースＡを経由してＷＯゲートウェー１２４へ経路選択させる。
９）呼がインタフェースＡを経由してＷＯゲートウェー１２４において受信されると、ゲートウェー呼制御２２０は被呼網識別をＰＬＭＮに設定する。
１０）呼制御２２０機能は、被呼ＣＭＴのＰＮをＢ番号として、かつ識別された無線オフィス・システム１４２を生起体として、ＨＬＲ２０６に問い合わせをする。呼は無線オフィス・システム１４２において生起したとして表示されるので、ＷＯＮＰは有効であり、またＳＣＦ２０２はＷＯＮＰデータベースから終端ＭＩＮを抽出して、ローミング番号がＷＯゲートウェー１２４に返送される。
１１）ローミング番号はＲＡＮ１２６において終端する。
１２）ＣＭＴに対する呼を完了する。
場合１３：無線オフィス・システム１４２内のＣＭＴから無線オフィス・システム１４２においてローミングしているＰＭＴへの呼：
１）無線オフィス・システム１４２内のＣＭＴの利用者は、外線プレフィックス＋ＰＭＴの番号をダイヤルすることにより、呼を生起してＰＴＮ１０８の外線を介してＰＭＴに対する呼を要求する。
２）ＷＯゲートウェー１２４のＲＡＮリンク２１６は、発呼者がＣＭＴであると判断する。
３）ＲＡＮリンク２１６は呼をＰＴＮ１０８へ無条件に経路選択させる。ダイヤルした番号は信号リンク上のＰＴＮ１０８に透過的に送出される。
４）ＰＴＮ１０８は、公衆世界に対して要求されたどのような呼に関しても作動し、ダイヤルした番号をＢ番号として呼をＰＳＴＮ１０４へ経路選択させる。
５）ＰＳＴＮ１０４はセルラ・システム１４０のようにダイヤルした番号の行き先きを識別して、呼はＧＭＳＣ１３６へ経路選択される。
６）ＧＭＳＣ１３６は、ダイヤルした番号をＢ番号として、かつＰＳＴＮ１０４の公衆番号（公衆電話番号共同グループＣＭＴに属している一つ）を発呼者として、ＨＬＲ２０６に問い合わせをする。ＨＬＲ２０６はダイヤルした番号をＷＯに属していない加入者として認識して、終端点がＳＣＦ２０２との干渉なしに直接的に抽出される。ＨＬＲ２０６はＰＭＴのローミング番号をＧＭＳＣ１３６に返送する。
７）ＧＭＳＣ１３６は呼をローミング番号により指示されたＭＳＣ１１２へ経路選択させる。
８）ＭＳＣ１１２はローミング番号を行き先として呼をＷＯゲートウェー１２４へ経路選択させる。
９）ローミング番号をＲＡＮ１２６において終端する。
１０）ＰＭＴに対する呼を完了する。
更に、ＷＯゲートウェー１２４は、コンピュータ支援電話用のアプリケーションを支援するように構成されてもよい。この機能のために、ＷＯゲートウェー１２４とＰＴＮ１０８との間での信号相互交換は、インタフェースＡを経由して実行される。コンピュータ支援電話用のシステム（例えば、センタ呼出し又は自動呼分配（Ａｕｔｏｍａｔｉｃ  Ｃａｌｌ  Ｄｉｓｔｒｉｂｕｔｉｏｎ：ＡＣＴ））と通信するＰＴＮ１０８の機能は、ＣＳＴアクセス１５６により実施される。コンピュータ支援電話は、ＷＯゲートウェー１２４とＣＳＴアクセス１５６との間の通信により、インタフェースＡのＩＳＤＮリンクを経由してＰＴＮ１０８に供給される。コンピュータ支援電話は、ＥＣＭＡコンピュータ支援電話アプリケーション（ＣＳＴＡ）又はＡＮＳＩスイッチ・コンピュータ・アプリケーション・インタフェース（ＳＣＡＩ）基準によるものでもよい。更に、ＡＴ＆Ｔ及びノーザン・テレコムのように大きなＰＴＮ提供業者により作成された他の多数の産業基準が使用されてもよい。
ここで図４を参照すると、図１に示した本発明の実施例の更に他の構成が示されている。図４に示す構成では、ＷＯゲートウェー１２４はＰＴＮ１０８とＰＬＭＮ１０２との間にコンピュータ支援電話（ＣＳＴ）インタフェースを設けている。ＣＳＴ機能はＰＴＮ１０８に呼終了情報を供給するために使用されてもよい。
図４の構成では、図２の実施例に６機能ブロックが付加された。ＷＯゲートウェー１２４はＳＣＦ  Ｅｎｑａ４０４、ＣＳＴ機能４０６、ＦＥステータス４０２を含む。ここでのＭＳＣ／ＳＣＰ１１０は、ＳＣＦ  Ｅｎｑｃ４１２を含み、またここでのＰＴＮ１０８はＣＳＴ  ｐｒｏｔ４０８及びＣＳＴサポート４１０を含む。
ＳＣＦ  Ｅｎｑａ４０４及びＳＣＦ  Ｅｎｑｃ１２８は、ＣＳＴ機能４０６からＳＣＦ２０２へ呼終了情報に対する要求を可能にする。ＳＣＦ  Ｅｎｑｃ４１２とＳＣＦ  Ｅｎｑａ４０４との間のメッセージは、ＭＳＣ１１２を介して搬送される。ＣＳＴ機能４０６は、ＩＮ１０６を利用することにより、ＰＴＮ１０８に対してコンピュータ支援を行う。ＳＣＦ  Ｅｎｑａ４０４は、帯域幅内通信、例えば音声プロンプトを可能にするようにＨＬＲ／ＳＣＰ１１０に中継チャネル接続を要求することができる。帯域内通信は、図３の構成のように、ＭＳＣ１１２とＷＯゲートウェー１２４との間に中継線を維持することが必要である。
ＷＯゲートウェー１２４により得られるＣＳＴ機能は、ＰＴＮ１０８のＦＴ及びＣＭＴの両者を支援するように構成されてもよい。ＣＳＴ機能を使用するＦＴは、無線オフィス・システム１４２のＣＭＴとしてＨＬＲ／ＳＣＰ１１０のデータベース内に登録される。ＦＴはＰＬＭＮ１０２にダイナミックに登録することはしないので、これらはＷＯゲートウェー１２４のＶＬＲ２２６により制御される領域に配置されたＨＬＲ／ＳＣＰ１１０のデータベースにより定義される。提供可能とされるＩＮサービス例は、Ａ番号、時間及び位置に基づく呼のスクリーニング、黒／白リスト、位置依存の呼転送及びパーソナル呼管理機構を含む。
ＣＳＴ  ｐｒｏｔ．４０８はＷＯゲートウェー１２４とＰＴＮ１０８との間の適当なコンピュータ支援電話プロトコルを支援する。ＦＥステータス４０６は、ＶＬＲ２２６にとってＰＴＮ１０８のＦＴがＣＭＴに見えるようにする。ＨＬＲ／ＳＣＰ１１０がＦＴについての情報を要求すると、ＶＬＲ２１４は、ＦＴＯステータス情報（空き、ビジー、故障等）を提供するようにＦＴステータス４０６を要求する。ＦＴステータス４０６はＣＳＴ機能４０６を介してＦＴのステータスを判断する。ＤＴＭＦ４１４はＰＴＮ１０８のＦＴからＤＴＭＦトーンを受信して、命令されたタスク、ＳＣＦ２０２内の加入者プロファイルを実行する。利用者は、この特徴を利用することにより、彼／彼女の加入者プロファイルを制御することができる。
ＣＳＴ機能の特徴はＦＴ及びＰＴＮ１０８のＣＭＴを内線電話対に接続する能力であり、ＣＭＴ及びＦＴはＰＴＮ１０８の観点から１終端点に見える。
ＣＳＴ機能は共同グループ利用者がパーソナル・ルーティング機構を作成できるようにする。例えば、利用者は、ＮＨ１の端末／卓上電話の一方又は両方がビジーのときは呼を音声メールに転送を有することができる。利用者は、更に、ＣＭＴに対して一定回数の呼出信号活性化後、呼を音声メールに転送を有することもできる。第３の例として、利用者は、ＣＭＴがＰＬＭＮ１０２内で活性でないときは第１のＦＴに対して一定数の呼出信号活性化後、呼を第２のＦＴに転送を有することもできる。ＣＳＴ機能により可能とされる他の特徴例は、内線電話対のＣＭＴ及びＦＴに同時的なリング、又は発呼者が転送先を選択できるように音声メールにプロンプトを送出することを含む。
ＣＳＴ機能の場合、この機能を使用している各加入者に関するパーソナル・プロファイルがＨＬＲ／ＳＣＰ１１０のＳＣＦ２２６内に記憶される。このプロファイルはＤＴＭＦ電話からデュアル・トーン多重周波数（ＤＴＭＦ）信号により変更されてもよい。彼／彼女のプロファイルを変更するため、加入者はＷＯゲートウェー１２４のＣＳＴ  ＦＵＮＣ  ４０２に含まれているプロファイル制御機能に対して呼を設定して、パス接続上へ帯域内でのＤＴＭＦ信号送出が実行される。代わって、プロファイルはＨＬＲ／ＳＣＰ１１０と直接通信するコンピュータ・アプリケーションにより制御されてもよい。
図１及び以下の呼シナリオの場合（場合１１）を参照して、図４の実施例を説明することができる。
場合１１：ＩＮサービスの提供
１）移動ＩＮサービスを使用するＣＭＴは、ＰＴＮ１０８において「コンピュータ支援利用者」として定義される。従って、利用者のＰＮに対して作成された呼は、ＰＴＮ１０８内のＣＳＴサポート４１０に転送される。
２）ＣＳＴサポート４１０はＣＳＴ  ｐｒｏｔ４０８を使用してＷＯゲートウェー１２４のＣＳＴ機能４０６から呼終了情報を要求する。
３）ＣＳＴ機能４０６は、ＳＣＦ  Ｅｎｑａ４０４及びＳＣＦ  Ｅｎｑｃ４１２を介してＳＣＦ２０２から被呼移動体の利用者プロファイルを要求する。
４）ＳＣＦ２０２は、ＨＬＲ２０６における加入者データベースから利用者プロファイルを抽出する。
５）必要ならば、利用者プロファイルに従って（例えば、このプロファイルは、位置に基づく情報がＩＮサービスに必要とされることを表示している。）、ＳＣＦ２０２はＨＬＲ２０６の問合わせをする。
６）ＨＬＲ２０６は、セルラ・システム１４０の通常ルーチンを使用してＶＬＲ２２６及びＶＬＲ２２６により処理されたノードからＨＬＲ２０６ステータスを抽出する。ＳＣＦ２０２はその結果、典型的には行き先番号をＳＣＦ  Ｅｎｑｃ４１２及びＳＣＦ  Ｅｎｑａ４０４を経由してＣＳＴ機能４０６に送出し、ＣＳＴ機能４０６は行き先番号をＣＳＴサポート４１０に転送する。
７）ＣＳＴサポート４１０は、行き先へ経路選択させるためにタスクをＰＴＮ１０８に転送する。
ここで図５を参照すると、図１に示した本発明の実施例の他の代替的な構成が示されている。図５に示した代替的な構成は、強化したルーティング機能を提供する。この実施例において、ＰＬＭＮ１０２は、ＰＳＴＮ１０４を使用することを必要とすることなく、公衆サービス及び個人サービスの両方を提供することができる。この場合に、基本的なルーティング機能により提供される機能を提供するときは、ＰＴＮ１０８はＰＳＴＮ１０４に接続される必要はない。図５に示す構成では、図３に示した構成に機能ブロックが付加された。ＷＯゲートウェー１２４にはＤＳＳ１Ｐｕｂａ５０２が付加され、またＰＴＮ１０８にはＤＳＳ１Ｐｕｂｂ５０４が付加された。ＤＳＳ１Ｐｕｂａ５０２及びＳＳ１Ｐｕｂｂ５０４は、セルラ・システム１４０におけるＰＭＴにより作成された呼と同様に、ＷＯゲートウェー１２４が無線オフィス・システム１４２におけるＰＭＴからＰＴＮ１０８に呼を接続できるようにする。次いで、ＰＴＮ１０８は、ＰＳＴＮ１０４を介して呼出す外部利用者を処理するように、呼出しＰＭＴを処理することができる。ＤＳＳ１Ｐｕｂａ５０２及びＳＳ１Ｐｕｂｂ５０４は、ＰＴＮ１０８の観点からインタフェースＢを経由して公衆交換（ｐｕｂｌｉｃ  Ｓｗｉｔｃｈ：ＰＢＸ）をエミュレートする。ＤＳＳ１Ｐｕｂａ５０２及びＳＳ１Ｐｕｂｂ５０４は、レイヤ３  ＩＳＤＮ  ＰＲＩ信号を実行する。更に、図５の強化したルーティング機能は、呼制御２２０、ＭＳＣルーティング３０４、ＶＬＲ２１４及びＲＡＮリンク２１６が図３の構成上で強化されることを必要とする。呼制御２２０はＰＴＮ１０８を介してルーティングを処理するように強化される。
強化されたルーティング機能は、以下のようである。
１）ＰＬＭＮ１０２において動作しているＰＭＴは、ＰＴＮ１０８の外線を介してＰＴＮ１０８に直接呼出すことができる。ＣＭＴはＰＬＭＮ１０２の番号計画によるグループ番号を受信する。多数の共同グループが呼出されると、呼はインタフェースＢを経由してＰＴＮ１０８へ経路選択される。これは、呼をＧＭＳＣ１３６及びＰＳＴＮ１０４を介して経路選択させる必要がないので、ＰＳＴＮ１０４の領域コードをダイヤルすることなく、ＰＭＴが１共同グループ番号を呼出すのを可能にする。
２）ＣＭＴは、ＰＴＮ１０８を介してセルラ・システム１４０に向かって外線を要求することができる。
３）インテリジェント・ルーティング機能は、呼を生起したときにＣＭＴがＩＮ機能を使用可能にさせる。好ましいルーティング及び選択的な呼の禁止は、生起ＩＮサービスの例である。例えば、ＩＮサービスの生起は、遠方のＰＴＮノードを介してトロンボーニング（ｔｒｏｍｂｏｎｉｎｇ）するのを避けるために、ＨＬＲから離れてローミングしているときに、最短パスを選択するように使用されてもよい。ある位置において最短パスを選択するための基準の例は、一定のＢ番号を呼出すこと、又はプレフィックスをダイヤルすることを含む。このサービスは、更に、ＰＭＴに対する選択された呼を禁止するために使用されてもよい。この構成において、共同グループは外部呼出し禁止により閉鎖利用者として定義される。即ち、共同グループ・メンバーはグループ外のメンバーを呼出すことが許可されない（この条件はＰＬＭＮ１０２とＰＴＮ１０８との両方において定義されてもよい）。ＩＮ選択された呼出し禁止サービスが付加されると、共同グループＣＭＴ又はＦＴは一定の条件によってのみＰＭＴを呼出すことができる。この条件は呼出し／被呼位置、Ｂ番号、時間等に基づくものでもよい。
呼がＩＮサービスの生起に加入したＣＭＴから生起され、かつ無線オフィス・システム１４２内に位置しているときは、ＲＡＮリンク２１６がＶＬＲ２０２からＣＭＴのプロファイルを抽出する。ＩＮサービスの生起は実行されることになるので、ＲＡＮリンク２１６は、ＰＴＮ１０８の代わりに、呼制御２２０を呼出すように呼を経路選択させる。呼制御は呼設定前にＨＬＲ２０６からの加入者情報を要求し、ＩＮ機能がＨＬＲ／ＳＣＰ１１０により実行される。
開示した発明は特定の実施例として特徴付けられたものであるが、本発明の動作及び構造は、以上の説明から明かであり、以下の請求の範囲に定義された本発明の精神及び範囲から逸脱することなく、変更及び変形を行うことができると信ずる。
【図１】
0003898762.tif 000002
【図２】
0003898762.tif 000003
【図３】
0003898762.tif 000004
【図４】
0003898762.tif 000005
【図５Ａ】
0003898762.tif 000006
【図５】
0003898762.tif 000007
【図５Ｂ】
0003898762.tif 000008